(57)【要約】【課題】  不使用時の原稿ホルダの管理が容易な画像読み取り装置を提供する。【解決手段】  原稿が載置される透明な原稿台と、前記原稿台に載置された前記原稿を読み取る読み取り部と、前記原稿台に載置された前記原稿を照明する第一光源と、前記原稿台によって閉塞される開口部を有し前記読み取り部及び前記第一光源が収容される筐体と、前記筐体に連結された原稿カバーと、前記原稿カバーに設けられ前記原稿台を照明する第二光源と、裏面で前記第二光源を覆う姿勢で前記原稿カバーに脱着可能に係止され表面で前記原稿台に載置された前記原稿を押さえる原稿マットと、前記原稿カバーに係止された前記原稿マットの裏面と前記原稿カバーとの間に脱着可能に収容され前記原稿台に載置可能な板状であって前記第二光源に照明される透過原稿を保持する原稿ホルダと、を備える。【選択図】    図１
2006115069.tif 000002
【特許請求の範囲】
【請求項１】
原稿が載置される透明な原稿台と、
前記原稿台に載置された前記原稿を読み取る読み取り部と、
前記原稿台に載置された前記原稿を照明する第一光源と、
前記原稿台によって閉塞される開口部を有し前記読み取り部及び前記第一光源が収容される筐体と、
前記筐体に連結された原稿カバーと、
前記原稿カバーに設けられ前記原稿台を照明する第二光源と、
裏面で前記第二光源を覆う姿勢で前記原稿カバーに脱着可能に係止され表面で前記原稿台に載置された前記原稿を押さえる原稿マットと、
前記原稿カバーに係止された前記原稿マットの裏面と前記原稿カバーとの間に脱着可能に収容され前記原稿台に載置可能な板状であって前記第二光源に照明される透過原稿を保持する原稿ホルダと、
を備えることを特徴とする画像読み取り装置。
【請求項２】
前記原稿マットは裏面に凹部を有し、
前記原稿ホルダは前記原稿マットの前記凹部に収容されることを特徴とする請求項１に記載の画像読み取り装置。
【請求項３】
前記原稿マットは、枠状の支持面を有する基部と、前記支持面に裏面が当接して平坦に張った状態で前記基部に係止され表面が前記原稿台に載置された前記原稿に当接するシートとを有することを特徴とする請求項１又は２に記載の画像読み取り装置。
【発明の詳細な説明】
【技術分野】
【０００１】
本発明は画像読み取り装置に関し、特に反射原稿及び透過原稿を読み取り可能なフラットベッド型の画像読み取り装置に関する。
【背景技術】
【０００２】
従来、反射原稿及び透過原稿を読み取り可能なフラットベッド型の画像読み取り装置が知られている（例えば特許文献１参照）。このような原稿読み取り装置では、一般に筐体と筐体に連結された原稿カバーのそれぞれに光源が収容されている。このような原稿読み取り装置では、反射原稿の読み取り時には、原稿マットで原稿カバーに収容された光源が覆われ、透過原稿の読み取り時には、原稿マットが取り外されて原稿カバーに収容された光源で透過原稿が照明される。また透過原稿の読み取り時には、現像済写真フィルム等の透過原稿を原稿台上に位置決めするための原稿ホルダが用いられる。このような原稿ホルダは反射原稿の読み取り時には不要であるため、ユーザは本体とは別に原稿ホルダを保管しておく必要があり、原稿ホルダの管理が煩雑である。
【０００３】
【特許文献１】特開２００３−７５９４４号公報
【発明の開示】
【発明が解決しようとする課題】
【０００４】
本発明は、上述の問題に鑑みて創作されたものであって、不使用時の原稿ホルダの管理が容易な画像読み取り装置を提供することを目的とする。
【課題を解決するための手段】
【０００５】
（１）  上記目的を達成するための画像読み取り装置は、原稿が載置される透明な原稿台と、前記原稿台に載置された前記原稿を読み取る読み取り部と、前記原稿台に載置された前記原稿を照明する第一光源と、前記原稿台によって閉塞される開口部を有し前記読み取り部及び前記第一光源が収容される筐体と、前記筐体に連結された原稿カバーと、前記原稿カバーに設けられ前記原稿台を照明する第二光源と、裏面で前記第二光源を覆う姿勢で前記原稿カバーに脱着可能に係止され表面で前記原稿台に載置された前記原稿を押さえる原稿マットと、前記原稿カバーに係止された前記原稿マットの裏面と前記原稿カバーとの間に脱着可能に収容され前記原稿台に載置可能な板状であって前記第二光源に照明される透過原稿を保持する原稿ホルダと、を備える。
本発明によると、原稿マットの裏面と原稿カバーとの間に原稿ホルダを脱着可能に収容できるため、不使用時の原稿ホルダの管理が容易である。
【０００６】
（２）  前記原稿マットは裏面に凹部を有してもよい。前記原稿ホルダは前記原稿マットの前記凹部に収容されてもよい。
（３）  前記原稿マットは、枠状の支持面を有する基部と、前記支持面に裏面が当接して平坦に張った状態で前記基部に係止され表面に前記原稿台に載置された前記原稿に当接するシートとを有してもよい。
本発明によると、張力で平坦に張られたシートで原稿を押さえることができるため、ウレタン等の厚い弾性材料でシートを押さえる必要がない。シート自体の厚さはウレタン等の弾性材料に比べて十分薄くすることができるため、原稿ホルダを原稿カバーに収容する構成を採用したとしても画像読み取り装置を薄く構成することができる。
【発明を実施するための最良の形態】
【０００７】
以下、本発明を実施するための最良の形態を実施例に基づいて説明する。
図１は、本発明の一実施例に係る画像読み取り装置としてのイメージスキャナ１の模式図である。イメージスキャナ１は、原稿台１１に載置された反射原稿や原稿ホルダ１７に保持された現像済写真フィルム等の透過原稿を読み取る所謂フラットベッド型である。
【０００８】
原稿台１１はガラス板等の透明板で形成されている。原稿台１１の盤面１１ａ上には、印刷文書、写真、書籍などの反射原稿Ｍや原稿ホルダ１７が載置される。
原稿台１１は、筐体１３の開口部を閉塞する姿勢で、筐体１３の開口部の周囲に形成された概ね矩形枠状の原稿ガイド２８に接合されている。原稿ガイド２８に透過原稿Ｍ及び原稿ホルダ１７を当接させることにより原稿台１１の盤面１１ａ上に反射原稿Ｍ及び原稿ホルダ１７に保持された透過原稿が位置決めされる。
【０００９】
原稿カバー１２は、図示しないヒンジにより原稿台１１の盤面を開放する姿勢から原稿台１１の盤面を覆う姿勢に揺動可能に筐体１３に連結されている。原稿カバー１２には、第二光源１５、反射板１４及び拡散板１６などが収容されている。蛍光管ランプ等の第二光源１５はその長手方向軸線がガイドロッド２４の長手方向軸線と平行になる姿勢で原稿カバー１２に固定されている。第一光源１５から放射された光は反射板１４で反射し、拡散板１６によって拡散され、原稿ホルダ１７に保持された透過原稿を原稿台１１とは逆側から面均一な照度で照明する。
【００１０】
原稿マット１９は、原稿カバー１２に脱着自在に設けられている。原稿マット１９は原稿台１１の盤面に載置された反射原稿Ｍを押さえるとともに、第一光源２０の放射光以外の光が原稿台１１を照らすことがないよう原稿台１１を覆うものである。原稿マット１９は反射原稿を読み取るときに原稿カバー１２の図示しないマット係止部に係止されることによって原稿カバー１２に取り付けられ、透過原稿を読み取るときに取り外される。
【００１１】
キャリッジ２１は、原稿台１１の盤面に対し平行なガイドロッド２４に摺動自在に嵌合している。キャリッジ２１は第一光源２０、ミラー２５、レンズ２６、及びイメージセンサ２７を搭載している。キャリッジ２１はキャリッジ搬送用モータ２２によって駆動されるプーリに掛けられたベルト２３に牽引され、原稿台１１の盤面に平行なα方向に往復移動する。尚、画像読み取り装置は、原稿台に対してイメージセンサ及びレンズの位置を固定し、複数のミラーを連動して移動させることによって主走査範囲をその幅方向に移動させるミラー移動型でもよいし、レンズ縮小型イメージセンサの代わりにロッドレンズアレイを用いた密着型イメージセンサを用いてもよい。
【００１２】
第一光源２０は、蛍光管ランプ等の管照明装置などを備えている。第一光源２０はその長手方向軸線がガイドロッド２４の長手方向軸線と垂直で原稿台１１に平行な方向に延びるようにキャリッジ２１に搭載されている。第一光源２０に照射された反射原稿の主走査範囲上の反射光は、ミラー２５で反射してレンズ２６に入射し、レンズ２６によってイメージセンサ２７の受光面に集光される。
【００１３】
イメージセンサ２７は、フォトダイオード等で構成される光電変換素子が直線的に多数配列された所謂リニアイメージセンサである。イメージセンサ２７は多数の光電変換素子が管状の第一光源２０の中心軸線と平行に並ぶ姿勢でキャリッジ２１に搭載されている。イメージセンサ２７の各光電変換素子には受光量に応じた電荷が光電変換により蓄積される。各光電変換素子に蓄積された電荷は、ＣＣＤ（Charge Coupled Device）等によってイメージセンサ２７の出力部に転送される。イメージセンサ２７から出力されるアナログ画像信号は図２（Ｂ）に示すＡＦＥ部３６によってディジタル信号に変換されて出力される。
【００１４】
図２は、イメージスキャナ１のハードウェア構成を示すブロック図である。
イメージスキャナ１は、制御部３１、第一照明部３２、第二照明部３３、イメージセンサ２７、主走査駆動部３４、キャリッジ搬送部３５、アナログフロントエンド（ＡＦＥ）部３６、ディジタル画像処理部３７、及びインタフェース３８を備えている。制御部３１、イメージセンサ２７、主走査駆動部３４、キャリッジ搬送部３５、アナログフロントエンド（ＡＦＥ）部３６、ディジタル画像処理部３７は、請求項に記載の読み取り部を構成する。イメージスキャナ１はインタフェース３８を介して通信線、例えばＵＳＢ（Universal Serial Bus）ケーブルでパーソナルコンピュータ（ＰＣ）４０などに接続される。
【００１５】
制御部３１は、ＣＰＵ、ＲＯＭ、及びＲＡＭを備える。ＣＰＵはＲＯＭに記憶されているプログラムを実行してイメージスキャナ１の各部を制御し、原稿台１１に載置された原稿を読み取らせる。ＲＯＭは各種プログラム、各種データなどを記憶する不揮発性のメモリであり、ＲＡＭは各種プログラム、各種データなどを一時的に記憶するメモリである。
【００１６】
第一照明部３２は、上述した第一光源２０、図示しないインバータ回路、制御回路等から構成される。制御回路は制御部３１から送信される制御信号を受信し、第一光源２０の点灯、消灯を制御する。
第二照明部３３は、上述した第二光源１５、図示しないインバータ回路、制御回路等から構成される。制御回路は制御部３１から送信される制御信号を受信し、第二光源の点灯、消灯を制御する。
【００１７】
主走査駆動部３４はイメージセンサ２７を駆動するために必要な駆動パルスをイメージセンサ２７に出力する駆動回路であり、例えば同期信号発生器、駆動用タイミングジェネレータ等から構成される。
キャリッジ搬送部３５は、上述のキャリッジ搬送用モータ２２、キャリッジ搬送用モータ駆動回路、キャリッジ駆動部用制御回路等から構成される。キャリッジ駆動部用制御回路は、制御部３１から送信されるキャリッジ搬送制御信号を受信し、キャリッジ搬送用モータ２２の回転方向、回転速度等を制御する。
【００１８】
アナログフロントエンド（ＡＦＥ）部３６は、アナログ信号処理部、Ａ／Ｄ変換器等から構成される。アナログ信号処理部は、イメージセンサ２７から出力されたアナログ画像信号に対して、増幅、雑音低減処理等を施す。Ａ／Ｄ変換器はアナログ信号処理部から出力されたアナログ画像信号を量子化し、所定ビット長のディジタル表現の画素値をイメージセンサ２７の光電変換素子毎に出力する。
ディジタル画像処理部３７は、ＡＦＥ部３６から出力された画素値に対し、シェーディング補正、ガンマ補正等の処理を行ってディジタル画像データを生成する。
【００１９】
図３は原稿ホルダ１７を示す斜視図である。原稿ホルダ１７は、現像済写真フィルム、マウントフィルム等の透過原稿を保持するものである。板状の原稿ホルダ１７には、透過原稿が保持される複数の開口部２９が形成されている。翼部３０は原稿ホルダ１７の一端部から突出している。翼部３０は原稿マット１９の後述する位置決め部４１に係止される。翼部３０と対向する原稿ホルダ１７の端部には凹部３９が形成されている。凹部３９は原稿マット１９の係止部４０に係止される。
【００２０】
図４は原稿マット１９を裏面側から見た斜視図である。図５は原稿マット１９を表面側から見た斜視図である。
図５に示すように、原稿マット１９は、シート４５と基部４４とを備えている。シート４５は平坦に張られた状態で基部４４に固定されている。具体的には例えば、シート４５の対向する端部４５ａと端部４５ｂとが基部４４に形成された溝に圧入固定されている。シート４５の表面は原稿台１１に載置された反射原稿Ｍに当接する。シート４５は例えばポリエステルフィルムで構成される。
図５に示すように、板状の基部４４には、原稿台１１を底とし原稿ガイド２８を壁面とする凹部３９（図１参照）の内側に裏面側の凸面が収まる矩形枠状の凹部４６が形成されている。凹部４６の裏面側の凸面が請求項に記載の枠状の支持面を構成する。
【００２１】
図６は、原稿マット１９に原稿ホルダ１７を係止した状態を示す斜視図である。図７は、図６のＶＩＩ−ＶＩＩ線断面図である。
原稿マット１９の裏面中央部は裏面周縁部に比べて低く形成されている。すなわち、原稿マット１９の裏面中央部には凹部が形成されている。原稿ホルダ１７はこの凹部に収容される。
【００２２】
基部４４のシート４５と反対側の面には係止部４０と位置決め部４１とが形成されている。位置決め部４１は袋状に形成され原稿ホルダ１７の翼部３０を係止する。係止部４０は図７に示すようにかぎ状に形成され、原稿ホルダ１７の凹部３９を係止する。原稿ホルダ１７は次の手順で原稿マット１９に係止される。まず原稿ホルダ１７の翼部３０を原稿マット１９の位置決め部４１に挿入する。次に原稿ホルダ１７の凹部３９を原稿マット１９の係止部４０に押し当て、凹部３９に係止部４０をスナップフィットさせる。これより原稿ホルダ１７が原稿カバー１２に脱着可能に係止される。
本実施例によると、不使用時には原稿カバー１２に原稿ホルダ１７を収容することができるため原稿ホルダの管理が容易になる。また原稿マット１９は、シート４５で反射原稿Ｍを押さえる構成のため、ウレタン材などの厚い板状の弾性材料を用いる原稿マットと比較して、薄く形成することができる。そのためイメージスキャナ１では、原稿マット１９の裏面と原稿カバー１２との間に原稿ホルダ１７を収容しても、装置全体の厚さを薄くすることができる。
【図面の簡単な説明】
【００２３】
【図１】本発明の一実施例による画像読み取り装置を示す模式的な断面図。
【図２】本発明の一実施例による画像読み取り装置を示すブロック図。
【図３】本発明の一実施例に係る原稿ホルダを示す斜視図。
【図４】本発明の一実施例に係る原稿マットの裏面を示す斜視図。
【図５】本発明の一実施例に係る原稿マットの表面を示す斜視図。
【図６】本発明の一実施例に係る原稿カバーと原稿マットを示す斜視図。
【図７】図６のＶＩＩ−ＶＩＩ線断面図。
【符号の説明】
【００２４】
１  イメージスキャナ（画像読み取り装置）、１１  原稿台、１２  原稿カバー、１３  筐体、１５  第二光源、１７  原稿ホルダ、１９  原稿マット、２０  第一光源、２７  イメージセンサ（読み取り部）、４４  基部、４５  シート
【図１】
2006115069.tif 000003
【図２】
2006115069.tif 000004
【図３】
2006115069.tif 000005
【図４】
2006115069.tif 000006
【図５】
2006115069.tif 000007
【図６】
2006115069.tif 000008
【図７】
2006115069.tif 000009